(57)【要約】      （修正有）【課題】Ｄ環の位置に対応して、ランヤード挿通する通し孔を任意に変更して設定できる衣服を提供する。【解決手段】ハーネス型安全帯のＤ環を装着した上から着用される衣服１であって、後身頃３の中央縦方向に設けられた長方形状の開口部７とファスナー８を有する。ファスナーは、互いに噛み合い又は離合する務歯列８ａ、８ｂと、開口部の長辺を成す対向する直線状縁部７ａ、７ｂに対して夫々が縫合された一対の布テープ８ｃ、８ｄと、務歯列の中央に向かって上から噛み合わせる上スライダー１０と、務歯列の中央に向かって下から噛み合わせる下スライダー２０とを有する。ハーネス型安全帯の背中のＤ環に対して、上スライダーと下スライダーの間に挟まれた開放範囲を通してランヤードが接続可能である。【選択図】図１
0003223059.tif 000002
【実用新案登録請求の範囲】
【請求項１】
ハーネス型安全帯を装着した上に着用する衣服であって、
前記衣服の後身頃の中央縦方向に長さ方向を有するように設けられた長方形状の開口部と、
互いに噛み合い又は離合する務歯列が設けられ、前記開口部の長辺を成す対向する直線状縁部に対して夫々が縫合された一対の布テープと、前記務歯列の中央に向かって上から噛み合わせる上スライダーと、前記務歯列の中央に向かって下から噛み合わせる下スライダーとを有するファスナーとを具備し、
前記ハーネス型安全帯の背中のＤ環に対して前記上スライダーと下スライダーの間に挟まれた開放範囲を通してランヤードを接続可能にすることを特徴とする衣服。
【請求項２】
請求項１の衣服において、前記上スライダーと下スライダーは、夫々、前記務歯列に対して進出／後退する係止体と、前記係止体を前記務歯列に対して進出する方向に付勢する板状スプリングと、前記係止体を前記板状スプリングに抗して前記務歯列に対して後退させる引手とを具備することを特徴とする衣服。
【請求項３】
請求項１の衣服において、前記衣服の前身頃には、前記ハーネス型安全帯の腰回りのベルト部に対して接続するフープが設けられている特徴とする衣服。
【考案の詳細な説明】
【技術分野】
【０００１】
本考案は、墜落の恐れのある高所作業を行う作業者がハーネス型安全帯を装着したその上に着用する衣服に関する。
【背景技術】
【０００２】
高所など墜落の恐れのある場所で作業をする際には、安全帯の装着が義務付けられている。墜落時の荷重を分散させることのできる安全帯としてハーネス型安全帯が利用されている。ハーネス型安全帯は、装着した際に背中の中央上部のＤ環に対して、ランヤード（命綱）を取り付ける必要がある。ハーネス型安全帯を着用したその上に、防寒用として防寒衣服を着用することがある。この場合、ハーネス型安全帯のＤ環に相当する位置に、防寒衣服の後身頃に開孔を設け、この開孔を通してランヤードをＤ環に接続する。
【０００３】
しかし、ハーネス型安全帯のＤ環の位置が上又は下にずれてしまうと、開孔からＤ環が上手く取り出せなくなる。例えば、特許文献１に開示された衣服では、後身頃に略Ｖ字状のスリットを設け、開閉可能なようにファスナーを備えており、略Ｖ字状のスリットで切断された上側の布を引き上げることにより、上下幅を有する開口を作ることができる。また、略Ｖ字状のスリットのＶ字の下端部から下方に切り込むＩ字状の長孔を設けて、ランヤードのロープ部をこの長孔から出すようにしている。
【０００４】
尚、ランヤードの引き出しを目的としたものではないが、後身頃に開口を設けた例としては、例えば特許文献２や３に示す技術が知られている。特許文献２の技術は、横方向を長さ方向とする開口にファスナーを設け、スライダーにより開閉可能にしている。また、特許文献３の技術では、上下方向を長さ方向とする開口にファスナーを設け、スライダーにより開閉可能にしている。
【先行技術文献】
【特許文献】
【０００５】
【特許文献１】特開２０１８−８０４１２号公報
【特許文献２】特開２０００−５４２０８号公報
【特許文献３】実開平２−３８４１４号公報
【考案の概要】
【考案が解決しようとする課題】
【０００６】
しかしながら、特許文献１に記載の衣服は、Ｉ字状の長孔を通されたランヤードが上下すると略Ｖ字状が開き、横方向に直線状の開口を形成してしまう。ハーネス型安全帯のＤ環は、横方向に設けられているので（例えば、本願図２参照）、直線状の開口にＤ環が嵌まりこんで衣服を固定されてしまう恐れがある。一旦入り込むと、作業員の身体に対して、衣服が固定されて肩や腕が動かしにくくなり、また背中であるので元に直すのが難しい。また、スライダーに自動停止機能がついていたとしても、ランヤードが通される位置は衣服に対して固定されているため、Ｄ環の位置と合わせられず、ランヤードが何らかの要因で引張されたときに衣服が上下にずれるという問題がある。
【０００７】
本考案は、上記問題点を解決するためになされたものであり、Ｄ環の位置に対応して、ランヤードが挿通する通し孔を設定することができる衣服を提供することを目的としている。
【課題を解決するための手段】
【０００８】
本考案の衣服は、ハーネス型安全帯を装着した上に着用する衣服であって、
前記衣服の後身頃の中央縦方向に長さ方向を有するように設けられた長方形状の開口部と、
互いに噛み合い又は離合する務歯列が設けられ、前記開口部の長辺を成す対向する直線状縁部に対して夫々が縫合された一対の布テープと、前記務歯列の中央に向かって上から噛み合わせる上スライダーと、前記務歯列の中央に向かって下から噛み合わせる下スライダーとを有するファスナーとを具備し、
前記ハーネス型安全帯の背中のＤ環に対して前記上スライダーと下スライダーの間に挟まれた開放範囲を通してランヤードを接続可能にすることを特徴とする。
【考案の効果】
【０００９】
本考案の衣服によれば、ハーネス型安全帯のＤ環の位置に対応して上スライダーと下スライダーの位置を調整することにより、ランヤードのロープ部を通す孔の位置を任意に変更することができる。
【図面の簡単な説明】
【００１０】
【図１】実施例１の衣服を示す図であり、図１Ａは正面図、図１Ｂは背面図である。
【図２】ハーネス型安全帯のＤ環と衣服の開口部と位置の関係を説明するための図である。
【図３】衣服の作用を示す図である。
【図４】スライダーの断面図である。
【考案を実施するための形態】
【００１１】
本考案の実施例による衣服１を図面に基づいて説明する。
図１において、衣服１は、前身頃２と後身頃３と袖４と襟５と、フード６を備えた防寒衣服であり、後身頃３にはランヤードを通す開口部７が設けられている。前身頃２のリング９は、ランヤード３２のフック３７（図３参照）を通常時に引っ掛けておくために設けられている。
【００１２】
開口部７は、後身頃３の上部に設けられ、後身頃３の左右の中心と一致の位置に長さ方向を持つ長方形を有しており、長方形の長辺を成す対向する直線状縁部７ａ、７ｂと、短辺を成す上縁部７ｃと下縁部７ｄとからなる。開口部７を開閉するファスナー８は、互いに噛み合い又は離合される務歯列８ａ、８ｂが設けられた一対の布テープ８ｃ、８ｄと、務歯列を噛み合わせ又は離合させる上スライダー１０と下スライダー２０とを有している。一対の布テープ８ｃ、８ｄは、夫々が直線状縁部７ａ、７ｂに縫着されている（縫合線８ｈ、８ｇ）。上側の上スライダー１０はファスナー８の上から、下側の下スライダー２０はファスナー８の下側から、夫々が中央に移動されることにより、務歯列８ａ、８ｂを噛み合わせる。上スライダー１０と下スライダー２０で挟まれた範囲は、務歯列８ａ、８ｂが噛み合わされていない開放範囲ＯＰになっている。また、一対の布テープ８ｃ、８ｄには、務歯列８ａ、８ｂを横断する横断縫着８ｅ、８ｆが上縁部７ｃと下縁部７ｄに施されており、上スライダー１０、下スライダー２０が務歯列８ａ、８ｂから離脱できないようになっている。
【００１３】
図２は、作業者に装着されたハーネス型安全帯３０のＤ環３１と衣服１の開口部７との位置関係を示している。ハーネス型安全帯３０では、Ｄ環３１の位置は作業者の背中の中央上部であるが、厳密に高さ位置が決められている訳ではなく、ハーネス型安全帯３０の構造やメーカ等により様々な高さ位置のものが存在する。開口部７は、おおよそ存在するであろうＤ環３１の高さ位置に対応できるように、上縁部７ｃと下縁部７ｄと間に間隔Ｌを有している。そして、上スライダー１０と下スライダー２０で挟まれた開放範囲ＯＰの位置を、上縁部７ｃと下縁部７ｄとの間で自由に変更できるようになっている。
【００１４】
図３は、ハーネス型安全帯３０のＤ環３１に対して、ランヤード３２を取り付けた際の上スライダー１０と下スライダー２０の位置を示している。ランヤード３２は、Ｄ環３１と接続する連結金具３４と、ストリング３６と、フック３７とを有し、必要に応じて連結金具３４とストリング３６との間にストラップ巻き取り装置３３が設けられる。図中、実線で示した位置Ｐ１にＤ環３１を有するハーネス型安全帯３０に対しては、上スライダー１０と下スライダー２０とを移動させて間隔Ｌの中央付近に開放範囲ＯＰを設けるようにし、そこにランヤード３２を通す。上スライダー１０と下スライダー２０の間隔を狭めると、開放範囲ＯＰはランヤード３２が通るだけの範囲になり、Ｄ環３１は、衣服１の内側に収まる。ハーネス型安全帯３０のＤ環３１の位置が高い位置Ｐ２又は低い位置Ｐ３の場合には、これに対応して上スライダー１０と下スライダー２０の位置を調整する。
【００１５】
図４に上スライダー１０と下スライダー２０との断面を示す。上スライダー１０と下スライダーは同じ構成であるため、上スライダー１０について説明する。上スライダー１０は、ファスナー８の任意の位置で自動停止機能を具備している。上スライダー１０は胴体１１、係止体１２、板状スプリング１３、引手１５を有している。係止体１２の一端１２ａは胴体１１に枢支され、他端１２ｂは務歯列８ａ、８ｂ（図中、一点破線で示す）に対して進出／後退する停止爪になっている。板状スプリング１３は、係止体１２を常に務歯列８ａ、８ｂに対して進出する方向（図面下方向）に付勢しており、この付勢により係止体１２は一端１２ａを支点として、他端１２ｂは務歯列８ａ、８ｂに対して進出させて、務歯列８ａ、８ｂの務歯の間に他端１２ｂを食い込ませている（破線で示した）。
【００１６】
引手１５の出力部１６は係止体１２と交差しており、引手１５を図中において作業者が上方向に引き上げ操作すると、係止体１２と交差した引手１５の出力部１６は係止体１２に当接して板状スプリング１３の弾性に抗して係止体１２を引き上げる。すると、係止体１２の他端１２ｂは務歯列８ａ、８ｂから後退する。このとき、上スライダー１０の自動停止機能は解除された状態になる。一方、引手１５から作業者が手を離すと、図中破線のように、係止体１２を引き上げていた引手１５の出力部１６は、引き上げの力を失う。すると、板状スプリング１３の付勢力により係止体１２は一端１２ａを支点として、他端１２ｂは務歯列８ａ、８ｂに対して進出させ、自動停止状態になる。尚、このようなファスナーは、例えば特開昭４７−１９９３４号公報に示されている。
【００１７】
図３に戻り、上スライダー１０と下スライダー２０の間隔を狭めランヤード３２が通るだけの開放範囲ＯＰを適当な位置に設定して、上スライダー１０と下スライダー２０の引手１５、２５から手を離すと、上スライダー１０と下スライダー２０の自動停止機能が発揮されて、開放範囲ＯＰの位置が固定される。このとき、作業者が身体を捩ったりしても、Ｄ環３１は衣服１の内側で移動するだけであり、衣服１がＤ環３１に対して固定されて肩や腕が動かしにくくなることがない。開放範囲ＯＰは、ランヤード３２が多少出入りをするだけである。
【００１８】
このように、本実施例によれば、ハーネス型安全帯３０のＤ環３１の位置に対応して上スライダー１０と下スライダー２０の位置を調整することにより、ランヤード３２を通す開放範囲ＯＰの位置を任意に変更することができる。また、上スライダー１０と下スライダー２０の自動停止機能により、上スライダー１０と下スライダー２０の位置に規定される開放範囲ＯＰは、固定状態にすることができるため、ハーネス型安全帯３０のＤ環３１の位置によらず、ランヤード３２の通し孔の位置を任意に設定することができるという効果がある。
【００１９】
また、上スライダー１０と下スライダー２０の位置に規定される開放範囲ＯＰはランヤード３２の太さに合わせて設定できるため、最小限の隙間とすることにより外気の侵入や体温の逃げなどを防ぐことができる。
【００２０】
尚、本実施例の衣服１には、ハーネス型安全帯３０の腰回りのベルト部３８に連結されるフープ４０が設けられている。フープ４０は、前身頃２の内側に左右に夫々１つずつ取り付けられている。その取り付けられる態様は特に限定されるものではなく、例えば、ボタンなどによって、フープ４０を取り外し可能に設けてもよく、或いは、前身頃２の内側にフープ４０の一端側を縫い込んで固着させてもよい。
【００２１】
図２に示すように、ハーネス型安全帯３０の腰回りのベルト部３８には、多数の腰道具３５が作業者の脇から背中にかけてぶら下げられるようになっている。このため、衣服１の後身頃３側は、これらの腰道具３５により吊り上がりがちであって（矢印ＵＰ）、後身頃３側が吊り上がることにより、衣服１の全体が吊り上がる。このようにして、フープ４０を設けておくことにより、衣服１の前身頃２側は、ベルト部３８に固定され、吊り上がりを制限することができる。なお、フープ４０を後身頃３側に設けていないのは、腰道具の取り出しに支障を呈するからである。よって、フープ４０は、腰道具３５の取り付けが少ないベルト部３８の前側に対して取り付けられるのである。
【００２２】
フープ４０をベルト部３８に接続するには、まず、フープ４０の下端側をベルト部３８の下側に通し、その下端側をフープ４０の上端側に折り曲げて（図３、矢印ＦＬ）、これらの両端をボタンや面ファスナーなどの留め具４１、４２で留めるようにすればよい。
【００２３】
以上の説明は、本考案の実施形態の理解を容易にするためのものであり、本考案を限定するものではない。本考案は、その趣旨、目的を逸脱することなく、変更、改良され得るとともに、本考案にはその等価物が含まれることは勿論である。例えば、本考案の実施例では、衣服１にフード６が取り付けられているが、フード６は無くても良い。また、フープ４０を設けているが、必須とはされない。
【符号の説明】
【００２４】
１     衣服
２     前身頃
３     後身頃
４     袖
５     襟
６     フード
７     開口部
７ａ、７ｂ     直線状縁部
７ｃ     上縁部
７ｄ     下縁部
８     ファスナー
８ａ、８ｂ     務歯列
８ｃ、８ｄ     布テープ
８ｅ、８ｆ     横断縫着
８ｈ、８ｇ     縫合線
９     リング
１０     上スライダー
１１     胴体
１２     係止体
１３     板状スプリング
１５、２５     引手
１６     出力部
２０     下スライダー
３０     ハーネス型安全帯
３１     Ｄ環
３２     ランヤード
３３     ストラップ巻き取り装置
３４     連結金具
３５     腰道具
３６     ストリング
３７     フック
３８     ベルト部
４０     フープ
４１、４２     留め具
ＯＰ     開放範囲
【図１】
0003223059.tif 000003
【図２】
0003223059.tif 000004
【図３】
0003223059.tif 000005
【図４】
0003223059.tif 000006